(57)【要約】  【目的】信頼性の高いコモンモードチョークコイルを提供する。  【構成】  コモンモードチョークコイル２０は、ドラム型コア１の巻芯部２の軸方向Ｘの両端にそれぞれ鍔部３、４が設けられ、該鍔部３、４の下面に複数の脚部５ａ、５ｂ、６ａ、６ｂが設けられ、該複数の脚部の先端にそれぞれ端子電極７ａ、７ｂ、８ａ、８ｂが形成され、巻芯部２に巻回された複数本の巻線Ａ（太実線）、Ｂ（太破線）の端部Ａ１、Ａ２、Ｂ１、Ｂ２がそれぞれ端子電極８ａ、７ａ、８ｂ、７ｂに導電接続されており、脚部５ａ、５ｂ（６ａ、６ｂ）のコア軸方向Ｘの端面３ａ（４ａ）からの長さ寸法Ｌは、巻線Ａ、Ｂの周回方向Ｒ（Ｒ´）に沿って徐々に大きくなるとともに、ドラム型コア１の上面の鍔部３（４）の端面３ａ（４ａ）からの長さ寸法Ｗは、巻線Ａ、Ｂの周回方向Ｒ（Ｒ´）に沿って徐々に減少するように設定されて、端部Ａ１、Ｂ１と近傍の端子電極との短絡を防ぐ構成。【選択図】  図７
2006049383.tif 000002
【特許請求の範囲】
【請求項１】
ドラム型コアの巻芯部の軸方向両端のそれぞれ上面及び側面に鍔部が設けられ、該コアの前記鍔部が設けられた領域の下面に複数の脚部が設けられ、該複数の脚部の先端にそれぞれ端子電極が形成され、前記巻芯部に複数本の巻線が巻回されるとともに、前記巻回された複数本の巻線の端部がそれぞれ前記端子電極に導電接続されたコモンモードチョークコイルにおいて、
前記ドラム型コアの鍔部の巻線の巻回領域に面する内側面の一部が、前記内側面の残部に比べて、コアの軸方向端面寄りに後退して設けられていることを特徴とするコモンモードチョークコイル。
【請求項２】
前記ドラム型コアに巻回される巻線のうち、巻芯を周回する部分が、前記鍔部の残部で規定される領域内で巻回されていることを特徴とする請求項１記載のコモンモードチョークコイル。
【請求項３】
ドラム型コアの巻芯部の軸方向両端のそれぞれ上面及び側面に鍔部が設けられ、該コアの前記鍔部が設けられた領域の下面に複数の脚部が設けられ、該複数の脚部の先端にそれぞれ端子電極が形成され、前記巻芯部に複数本の巻線が巻回されるとともに、前記巻回された複数本の巻線の端部がそれぞれ前記端子電極に導電接続されたコモンモードチョークコイルにおいて、
前記ドラム型コアの下面側の脚部の巻線の巻回領域に面する内側面の一部が、前記内側面の残部に比べて、コアの軸方向端面寄りに後退して設けられていることを特徴とするコモンモードチョークコイル。
【請求項４】
ドラム型コアの巻芯部の軸方向両端のそれぞれ上面及び側面に鍔部が設けられ、該コアの前記鍔部が設けられた領域の下面に複数の脚部が設けられ、該複数の脚部の先端にそれぞれ端子電極が形成され、前記巻芯部に複数本の巻線が巻回されるとともに、前記巻回された複数本の巻線の端部がそれぞれ前記端子電極に導電接続されたコモンモードチョークコイルにおいて、
前記ドラム型コアの鍔部の巻線の巻回領域に面する内側面の一部と、この下面側の脚部の巻線の巻回領域に面する内側面の一部とが、前記内側面の残部に比べて、ともにコアの軸方向端面寄りに後退して設けられていることを特徴とするコモンモードチョークコイル。
【請求項５】
前記内側面の一部が残部に比べて軸方向端面寄りに後退して設けられた鍔部同士が板状磁性コアで連結されたことを特徴とする請求項１乃至請求項４のいずれかに記載のコモンモードチョークコイル。
【請求項６】
前記ドラム型コアの巻芯部の軸方向両端の鍔部間及び、前記鍔部の内側面が軸方向端面寄りに後退した領域に、前記巻芯部に巻回された巻線の上面側を被覆するように外装樹脂層が形成されたことを特徴とする請求項１乃至請求項４のいずれかに記載のコモンモードチョークコイル。
【発明の詳細な説明】
【技術分野】
【０００１】
本発明は、各種電子機器に使用される巻線チップ型のコモンモードチョークコイルの技術分野に属する。
【背景技術】
【０００２】
コモンモードチョークコイルは、パーソナルコンピュータに代表される各種電子機器の輻射ノイズ等のフィルタリングに使用されるコイル部品であり、高結合の複数本（２〜４本）のコイルに流れる各ライン電流のコモンモード（同位相成分）ノイズをキャンセルして除去するコイル部品の一つである。
【０００３】
巻線チップ型のコモンモードチョークコイルの従来構造として、図１２の巻線状態を表す底面図に示されるように、フェライト材などからなるドラム型コア４１の巻芯部４２の軸方向の両端にそれぞれ鍔部４３、４４が設けられ、該鍔部４３、４４の下面に複数の脚部４５ａ、４５ｂ、４６ａ、４６ｂが設けられ、該複数の脚部の先端にそれぞれ端子電極４７ａ、４７ｂ、４８ａ、４８ｂが形成され、前記巻芯部４２に巻回された複数本の巻線Ａ（太実線）、Ｂ（太破線）の端部Ａ１、Ａ２、Ｂ１、Ｂ２がそれぞれ前記端子電極４８ａ、４７ａ、４８ｂ、４７ｂに半田付けなどにより導電接続された構造のコモンモードチョークコイル４０がある。
【０００４】
また、下記［特許文献１］には、図１３の外観を示す斜視図及び図１４の巻線の巻回状態を表す底面図に示されるように、底面側の四隅の脚部に端子電極５４ａ、５４ｂ、５５ａ、５５ｂが設けられたドラム型コア５３の巻芯部に、複数の巻線Ａ（太実線）、Ｂ（太破線）を巻回した構造であって、特に、巻線Ａ、Ｂが交互に整列して巻回された整列巻線部５１と、それぞれ個別に整列して巻回された分離巻線部５２と、を備え、それらが直列に接続されている巻線構造として、前記ドラム型コア５３の構造や形状を変更することなくノーマルモードインピーダンス特性を容易に調整できるようにしたチョークコイル５０が示されている。
【０００５】
【特許文献１】特開２００２−２４６２４４号公報
【発明の開示】
【発明が解決しようとする課題】
【０００６】
図２から判るように、小型化の要請が強い巻線チップ型のコモンモードチョークコイルにおける従来型のドラム型コア４１の形状では、巻線Ａ、Ｂのそれぞれの端末Ａ１、Ｂ２の各端子電極４８ａ、４７ｂとの接合時に、巻線Ｂの端末Ｂ２が隣接する脚部の端子電極４７ａに、或いは他方の巻線Ａの端末Ａ１が隣接する脚部の端子電極４８ｂに接触して短絡する場合があり得る。この短絡の可能性は前記［特許文献１］に記載の図１４のチョークコイル５０のドラム型コア５３の場合も同様である。
【０００７】
また、特性向上の観点から、コモンモードチョークコイルはそのノーマルインピーダンスを小さくすることが望ましく、そのためには巻回する複数本の巻線は引っ張り張力を掛けながら緊密にバイファイラ巻を施すなどして、複数の巻線同士の結合を可及的に高めることが特に重要となる。
【０００８】
しかしながら、従来型の前記ドラム型コア４１の形状では、巻芯部４２の両端まで緊密に巻線を巻回すると、巻芯部４２の上面側から底面側の脚部４５ａ、４５ｂ、４６ａ、４６ｂの端子電極４７ａ、４７ｂ、４８ａ、４８ｂに至る最後の１８０度のターン部分が重なってしまい、該重なりの部分での張力のストレスによる巻線被覆の損傷、或いは接合部の熱が当該重なりの部分に伝播されて該箇所の巻線被覆が損傷するのを誘引してしまう恐れがある。これを回避しようとすると、巻芯部４２の鍔部４３、４４に近い両端側の巻線ターン密度は図１２に示される破線で囲まれた部分Ｓのように巻線の巻回密度を疎とせざるを得ず（巻芯部４２の鍔部４３、４４に近い両端側に隙間が残される。）、小型且つ結合度の高い特性が得られなくなってしまう。
【０００９】
本発明は、上記端子電極を備える巻線チップ型のコモンモードチョークコイルの巻線構造の改善を目指して為されたものであり、ドラム型コアの鍔部の下面に複数の脚部が設けられ、該複数の脚部の先端にそれぞれ端子電極が形成され、前記巻芯部に巻回された複数本の巻線の端部がそれぞれ前記端子電極に導電接続されたコモンモードチョークコイルにおける巻線巻回状態のスペース効率化及び巻線接続の信頼性の向上を図ったコア構造と巻線構造を提供するものである。
【課題を解決するための手段】
【００１０】
本発明は、
（１）ドラム型コアの巻芯部の軸方向両端のそれぞれ上面及び側面に鍔部が設けられ、該コアの前記鍔部が設けられた領域の下面に複数の脚部が設けられ、該複数の脚部の先端にそれぞれ端子電極が形成され、前記巻芯部に複数本の巻線が巻回されるとともに、前記巻回された複数本の巻線の端部がそれぞれ前記端子電極に導電接続されたコモンモードチョークコイルにおいて、
前記ドラム型コアの鍔部の巻線の巻回領域に面する内側面の一部が、前記内側面の残部に比べて、コアの軸方向端面寄りに後退して設けられていることを特徴とするコモンモードチョークコイルを提供することにより、上記課題を解決する。
（２）また、特に、前記ドラム型コアに巻回される巻線のうち、巻芯を周回する部分が、前記鍔部の残部で規定される領域内で巻回されていることを特徴とする上記（１）に記載のコモンモードチョークコイルを提供することにより、上記課題を解決する。
（３）また、ドラム型コアの巻芯部の軸方向両端のそれぞれ上面及び側面に鍔部が設けられ、該コアの前記鍔部が設けられた領域の下面に複数の脚部が設けられ、該複数の脚部の先端にそれぞれ端子電極が形成され、前記巻芯部に複数本の巻線が巻回されるとともに、前記巻回された複数本の巻線の端部がそれぞれ前記端子電極に導電接続されたコモンモードチョークコイルにおいて、
前記ドラム型コアの下面側の脚部の巻線の巻回領域に面する内側面の一部が、前記内側面の残部に比べて、コアの軸方向端面寄りに後退して設けられていることを特徴とするコモンモードチョークコイルを提供することにより、上記課題を解決する。
（４）また、ドラム型コアの巻芯部の軸方向両端のそれぞれ上面及び側面に鍔部が設けられ、該コアの前記鍔部が設けられた領域の下面に複数の脚部が設けられ、該複数の脚部の先端にそれぞれ端子電極が形成され、前記巻芯部に複数本の巻線が巻回されるとともに、前記巻回された複数本の巻線の端部がそれぞれ前記端子電極に導電接続されたコモンモードチョークコイルにおいて、
前記ドラム型コアの鍔部の巻線の巻回領域に面する内側面の一部と、この下面側の脚部の巻線の巻回領域に面する内側面の一部とが、前記内側面の残部に比べて、ともにコアの軸方向端面寄りに後退して設けられていることを特徴とするコモンモードチョークコイルを提供することにより、上記課題を解決する。
（５）また、前記内側面の一部が残部に比べて軸方向端面寄りに後退して設けられた鍔部同士が板状磁性コアで連結されたことを特徴とする上記（１）乃至（４）のいずれかに記載のコモンモードチョークコイルを提供することにより、上記課題を解決する。
（６）さらに、前記ドラム型コアの巻芯部の軸方向両端の鍔部間及び、前記鍔部の内側面が軸方向端面寄りに後退した領域に、前記巻芯部に巻回された巻線の上面側を被覆するように外装樹脂層が形成されたことを特徴とする上記（１）乃至（４）のいずれかに記載のコモンモードチョークコイルを提供することにより、上記課題を解決する。
【発明の効果】
【００１１】
本発明に係るコモンモードチョークコイルは、（１）上記のように、ドラム型コアの鍔部の巻線の巻回領域に面する内側面の一部が、前記内側面の残部に比べて、コアの軸方向端面寄りに後退して設けられているため、鍔部の内側面の一部が残部に比べてコアの軸方向端面寄りに後退した領域に、ドラム型コアに巻回される巻線のうちの巻芯を周回する部分から離れて脚部の端子電極との導電接続部に至る引出し部分を通すことができ、小型化しても、ドラム型コアに巻回される巻線のうち、巻芯を周回する部分と、前記巻芯を周回する部分から離れて脚部の端子電極との導電接続部に至る引出し部分との重なりを確実に防止できる。
【００１２】
また、（２）前記ドラム型コアに巻回される巻線のうち、巻芯を周回する部分が、前記鍔部の残部で規定される領域内で巻回されていることで、引出し部分にテンションが加わっても、巻芯を周回する部分と、前記巻芯を周回する部分から離れて脚部の端子電極との導電接続部に至る引出し部分とが重ならないため、線材の被覆の剥離による短絡が生じにくい。
【００１３】
また、（３）前記ドラム型コアの下面側の脚部の巻線の巻回領域に面する内側面の一部が、前記内側面の残部に比べて、コアの軸方向端面寄りに後退して設けられているので、脚部の巻線の巻回領域に面する内側面の一部が前記内側面の残部に比べてコアの軸方向端面寄りに後退した領域に、ドラム型コアに巻回される巻線のうち、巻芯を周回する部分から離れて脚部の端子電極との導電接続部に至る引出し部分を通すことができ、小型化しても、前記引出し部分の線材相互の重なりを確実に防止できるとともに、前記引出し部分と、隣接する脚部の端子電極との接触及び短絡の発生を防止することができる。
【００１４】
また、（４）前記ドラム型コアの鍔部の巻線の巻回領域に面する内側面の一部と、この下面側の脚部の巻線の巻回領域に面する内側面の一部とが、前記内側面の残部に比べて、ともにコアの軸方向端面寄りに後退して設けられているので、鍔部の内側面の一部が残部に比べてコアの軸方向端面寄りに後退した領域に、ドラム型コアに巻回される巻線のうちの巻芯を周回する部分から離れて脚部の端子電極との導電接続部に至る引出し部分を通すことができ、小型化しても、ドラム型コアに巻回される巻線の巻芯を周回する部分と、前記巻芯を周回する部分から離れて脚部の端子電極との導電接続部に至る引出し部分との重なりを防止できる。
【００１５】
また、（５）脚部の巻線の巻回領域に面する内側面の一部が前記内側面の残部に比べてコアの軸方向端面寄りに後退した領域に、ドラム型コアに巻回される巻線のうち、巻芯を周回する部分から離れて脚部の端子電極との導電接続部に至る引出し部分を通すことができ、小型化しても、前記引出し部分の線材相互の重なりを防止できるとともに、前記引出し部分と、隣接する脚部の端子電極との接触及び短絡の発生を防止することができる。
【００１６】
さらに、（６）ドラム型コアの鍔部の巻線の巻回領域に面する内側面の一部と、この下面側の脚部の巻線の巻回領域に面する内側面の一部とが、前記内側面の残部に比べて、ともにコアの軸方向端面寄りに後退して設けられているので、巻芯部の両端まで巻線が重ならずに緊密に巻回できてスペース効率がよく、鍔部の内側面で規定される巻線スペースを有効に活用して、さらに小型のコモンモードチョークコイルを提供することができる。
【００１７】
また、（７）本来デッドスペースとなっているコア底面側の部分を有効活用しているので、無駄なスペースなく端子電極の接合面積も十分に確保されて、バランス的にも問題なく、良好な特性と高信頼性及び小型化が実現する。特に、高速差動伝送用コモンモードチョークコイルとしての使用も可能である。
【発明を実施するための最良の形態】
【００１８】
本発明に係るコモンモードチョークコイルの実施の形態について以下の図面に基づいて説明する。
【００１９】
図１は第１の実施形態のコモンモードチョークコイルのドラム型コアの形状を示す斜視図である。図２は前記ドラム型コアの巻芯部に巻線を巻回した状態のコモンモードチョークコイルを示す斜視図である。図３は前記コモンモードチョークコイルのドラム型コアの巻芯の軸方向両端に設けられた鍔部の上面に板状磁性コアを貼り付け、両端の鍔部間を前記板状磁性コアで連結したコモンモードチョークコイルを示す斜視図である。図４は前記ドラム型コアの巻芯部の軸方向両端の鍔部間及び、前記鍔部の内側面が軸方向端面寄りに後退した領域に、前記巻芯部に巻回された巻線の上面側を被覆するように外装樹脂層が形成されたコモンモードチョークコイルを示す斜視図である。図５は前記コモンモードチョークコイルのドラム型コアの底面側の外観を示す斜視図である。図６は第１の実施形態のコモンモードチョークコイルのドラム型コアの巻線状態を説明するための平面図である。図７は第１の実施形態のコモンモードチョークコイルの導電接続後の状態を示す底面図である。図８は第１の実施形態のコモンモードチョークコイルの底面図である。図９は第２の実施形態のコモンモードチョークコイルのドラム型コアの底面側の外観を示す斜視図である。図１０は第２の実施形態のコモンモードチョークコイルの導電接続後の状態を示す底面図である。図１１は第２の実施形態のコモンモードチョークコイルの底面図である。
【００２０】
図１乃至図８に示されるように、本発明に係る第１の実施形態のコモンモードチョークコイル２０、１９、２９では、図１のようにドラム型コア１の巻芯部２の軸方向Ｘの両端にそれぞれ鍔部３、４が設けられ、図５のように該鍔部３、４の下面に複数の脚部５ａ、５ｂ、６ａ、６ｂが設けられ、該複数の脚部５ａ、５ｂ、６ａ、６ｂの先端にそれぞれ端子電極７ａ、７ｂ、８ａ、８ｂが形成され、図６に示されるように前記ドラム型コア１の鍔部３、４の巻線Ａ（太実線）、Ｂ（太破線）の巻回領域に面する内側面の一部Ｊが、前記内側面の残部Ｋに比べて、コアの軸方向Ｘの各端面３ａまたは４ａ寄りに後退して設けられていることを特徴としており、鍔部３、４の内側面の一部Ｊが残部Ｋに比べてコアの軸方向端面寄りに後退した領域Ｅに、ドラム型コア１に巻回される巻線Ａ、Ｂのうちの巻芯２を周回する部分Ｍ１から離れて脚部５ａ、５ｂ、６ａ、６ｂの端子電極７ａ、７ｂ、８ａ、８ｂとの導電接続部に至る引出し部分Ａ１１、Ａ１２、Ｂ１１、Ｂ１２を通すことができる。
【００２１】
また、図４に示されるように前記巻芯部２に巻回された複数本（本実施形態では２本）の巻線Ａ、Ｂの端部Ａ１、Ａ２、Ｂ１、Ｂ２がそれぞれ前記端子電極８ａ、７ａ、８ｂ、７ｂに熱圧着などにより導電接続されており、特に、図５、図７に示されるように、前記ドラム型コア１の下面側の脚部の巻線Ａ、Ｂの巻回領域に面する内側面の一部Ｑが、前記内側面の残部Ｎに比べてコア１の軸方向Ｘ端面３ａ、４ａ寄りに後退して設けられていることを特徴としており、脚部の巻線の巻回領域に面する内側面の一部Ｑが前記内側面の残部Ｎに比べてコア１の軸方向Ｘの端面３ａまたは４ａ寄りに後退した領域Ｕ（破線枠内）に、ドラム型コア１に巻回される巻線Ａ、Ｂのうち、巻芯２を周回する部分Ｍ１から離れて脚部５ａ、５ｂ、６ａ、６ｂの端子電極７ａ、７ｂ、８ａ、８ｂとの導電接続部に至る引出し部分Ａ１２、Ｂ１２、Ａ１１、Ｂ１１を通すことができる。
【００２２】
本実施形態では、前記ドラム型コア１の鍔部３、（４）に設けられた複数の脚部５ａ、５ｂ、（６ａ、６ｂ）のコア軸方向Ｘの端面３ａ、（４ａ）からのコア軸方向Ｘの長さ寸法Ｌは、巻線Ａ、Ｂの周回方向Ｒ（Ｒ´）に沿って徐々に大きくなるとともに（即ち、Ｌ２＜Ｌ１）、図１に示されるように前記ドラム型コア１の上面の鍔部３、（４）のコア軸方向端面３ａ、（４ａ）からのコア軸方向Ｘの長さ寸法Ｗは、巻線Ａ、Ｂの周回方向Ｒ（Ｒ´）に沿って徐々に減少するように設定されている。
【００２３】
また、上記構成に加えて、本第１の実施形態では、図７に示されるように前記巻線Ａ、Ｂの端部Ａ１、Ａ２、Ｂ１、Ｂ２の前記脚部６ａ、５ａ、６ｂ、５ｂの各端子電極８ａ、７ａ、８ｂ、７ｂとの接合部に至る直前の周回部において、前記鍔部３、４の長さ寸法Ｗが減少した領域Ｔにおいて、前記複数の巻線Ａ、Ｂが互いに離間して（換言すれば、重ならずに余裕を持って）巻回されている。
【００２４】
上記端子電極７ａ、７ｂ、８ａ、８ｂは、導電ペーストの塗布・焼付けにより形成されたコア直付けの端子電極であり、巻線Ａ、Ｂの端部Ａ１、Ａ２、Ｂ１、Ｂ２が熱圧着などにより接合された後、図８に示されるように、必要により、半田層或いは導電性樹脂が被覆され、さらに半田メッキ層或いは錫メッキ層などの金属メッキ層１７が形成される。また、複数本の巻線Ａ、Ｂは絶縁被覆導線であり、断面円形の導線の外周をポリウレタン等の樹脂で覆った所謂丸線の他に断面形状が矩形の平角線やそれらのペア線または単線などが使用されて、例えば結合の高いバイファイラ巻が施される。
【００２５】
なお、図３に示されるコモンモードチョークコイル２９のように、ドラム型コア１の上面に板状磁性コア１１を配設して閉磁路を構成することも好ましい。この場合、該ドラム型コア１の前記内側面の一部Ｊが前記内側面の残部Ｋに比べて軸方向Ｘの端面３ａまたは４ａ寄りに後退して設けられている部分を有する鍔部３、４同士が板状磁性コア１１で連結されることにより、電子部品自動マウント装置を用いて、回路基板などにコモンモードチョークコイル２９を搭載する際に、前記マウント装置の部品吸着ノズルによる吸着ミスの発生を防止することができるとともに、前記後退して設けられている部分に起因するドラム型コアの磁束の偏りを低減することができる。
【００２６】
また、図４に示されるコモンモードチョークコイル１９のように、ドラム型コア１の巻芯部２の軸方向両端の鍔部３、４間及び、前記鍔部３、４の内側面が軸方向端面寄りに後退した領域Ｅに、前記巻芯部２に巻回された巻線Ａ、Ｂの上面側を被覆するように外装樹脂層１８を形成することにより、電子部品自動マウント装置を用いて、回路基板などにコモンモードチョークコイルを搭載する際に、前記マウント装置の部品吸着ノズルによる吸着ミスの発生を防止することもできる。また、このとき、外装樹脂層１８を塗布形成する場合には、塗布された樹脂塗料が、鍔部の一部が軸方向Ｘの端面寄りに後退した領域Ｅを有する内側面に沿って樹脂が導かれ、巻回された巻線Ａ、Ｂ及びその引出し部Ａ１１、Ｂ１１・・の上面側を確実に被覆できる。
【００２７】
上記コア構造と巻線の巻回状態を備えるコモンモードチョークコイル２０、１９、２９によれば、図６から、巻芯部２の複数本の巻線Ａ、Ｂは巻芯部２の鍔部３、４側の隅まで重ならずに巻回され、スペース効率がよくコンパクトに設計できることが判る。
【００２８】
また、前記ドラム型コア１に巻回される巻線Ａ、Ｂのうち、巻芯を周回する部分Ｍ１が、前記鍔部３、４の残部Ｋで規定される領域内で巻回されているため、引出し部分Ａ１１、Ａ１２、Ｂ１１、Ｂ１２にテンションが加わっても、巻芯を周回する部分Ｍ１と、前記巻芯を周回する部分Ｍ１から離れて脚部６ａ、５ａ、６ｂ、５ｂの各端子電極８ａ、７ａ、８ｂ、７ｂとの導電接続部に至る引出し部分Ａ１１、Ａ１２、Ｂ１１、Ｂ１２とが重ならないため、線材の被覆の剥離による短絡が生じにくい。而して、引っ張り張力のストレスや接合部の熱が巻線Ａ、Ｂの重なり部分に伝播されて重なり部分の巻線被覆が損傷するのが防止されるのである。
【００２９】
また、図７から、ドラム型コア1の下面側の脚部５ａ、５ｂ、６ａ、６ｂの巻線の巻回領域に面する内側面の一部Ｑが、前記内側面の残部Ｎに比べて、コア１の軸方向端面３ａまたは４ａ寄りに後退して設けられているので、前記脚部の巻線の巻回領域に面する内側面の一部Ｑが前記内側面の残部Ｎに比べてコア１の軸方向端面寄りに後退した領域Ｕに、ドラム型コア１に巻回される巻線Ａ、Ｂのうち、巻芯を周回する部分Ｍ１から離れて脚部の端子電極８ａ、７ａ、８ｂ、７ｂとの導電接続部に至る引出し部分Ａ１１、Ａ１２、Ｂ１１、Ｂ１２を、脚部の巻線Ａ、Ｂの巻回領域に面する内側面の一部Ｑが前記内側面の残部Ｎに比べてコア１の軸方向Ｘの端面３ａまたは４ａ寄りに後退した領域Ｕを通すことができ、小型化しても、前記引出し部分Ａ１１、Ａ１２、Ｂ１１、Ｂ１２の線材相互の重なりを確実に防止できるとともに、前記引出し部分と、隣接する脚部の端子電極との接触及び短絡の発生を防止することができる。すなわち、脚部６ａ、５ａ、６ｂ、５ｂ、延いては端子電極８ａ、７ａ、８ｂ、７ｂの形状を左右非対称にすることで、それぞれの端子電極に至る各巻線Ａ、Ｂの引出し部分Ａ１１とＢ１１同士、或いはＡ１２とＢ１２同士が互いに離間しており、隣接する端子電極（引出し部分Ａ１１に対して端子電極８ｂ、引出し部分Ｂ１２に対して端子電極７ａ）に接触し短絡するのが防止されることが判る。
【００３０】
さらに、前記ドラム型コア１の鍔部３、４の巻線Ａ、Ｂの巻回領域に面する内側面の一部Ｊと、この下面側の脚部の巻線の巻回領域に面する内側面の一部Ｑとが、前記内側面の残部Ｋ、Ｎに比べて、ともにコア１の軸方向Ｘの端面３ａまたは４ａ寄りに後退して設けられているので、鍔部３、４の内側面で規定される巻線スペースを有効に活用して、さらに小型のコモンモードチョークコイルを提供することができる。
【００３１】
このように、本発明に係るドラム型コア１の鍔部３、４と脚部５ａ、５ｂ、６ａ、６ｂの左右非対称の構造によれば、複数本の巻線Ａ、Ｂの端子電極８ａ、７ａ、８ｂ、７ｂに至るまでの巻回状態がスムーズ且つ短絡の恐れが回避されるという特段の作用効果が得られるのであり、これは従来のチョークコイル４０、５０のようにドラム型コアの鍔部が左右対称な構造では得難いものである。なお、鍔部と脚部は左右非対称ではあるが、垂直中心軸周りの１８０度回転対称になっており、巻線Ａ、Ｂの巻回状態の左右のバランスは保たれているのであり、特性上の問題は生じない。
【００３２】
ところで、上記作用効果は巻線Ａ、Ｂの巻回数の多少にかかわらず防止でき、また、巻線の本数も上記実施形態の２本に限らず３本以上でもよい。
【００３３】
図９、図１０及び図１１に示される第２の実施形態は、巻線がＡ、Ｂ、Ｃの３本の場合のコモンモードチョークコイル３０であり、ドラム型コア２１の巻芯部２２の軸方向の両端にそれぞれ鍔部２３、２４が設けられ、該鍔部２３、２４の下面に複数の脚部２５ａ、２５ｂ、２５ｃ、２６ａ、２６ｂ、２６ｃが設けられ、該複数の脚部の先端にそれぞれ端子電極２７ａ、２７ｂ、２７ｃ、２８ａ、２８ｂ、２８ｃが形成され、前記巻芯部２２に巻回された複数本の巻線Ａ、Ｂ、Ｃの端部Ａ１、Ａ２、Ｂ１、Ｂ２、Ｃ１、Ｃ２がそれぞれ前記端子電極２８ａ、２７ａ、２８ｂ、２７ｂ、２８ｃ、２７ｃに導電接続された構造であり、特に、前記ドラム型コア２１の鍔部に設けられた複数の脚部２５ａ、２５ｂ、２５ｃ、２６ａ、２６ｂ、２６ｃのコア軸方向Ｘ端面２３ａ、（２４ａ）からのコア軸方向Ｘの長さ寸法Ｌは、巻線の周回方向Ｒ（Ｒ´）に沿って、巻線の接合部に向けて徐々に大きくなるとともに（即ち、Ｌ３＜Ｌ２＜Ｌ１）、前記ドラム型コア２１の上面の鍔部のコア軸方向Ｘ端面２３ａ、（２４ａ）からのコア軸方向Ｘの長さ寸法は、前述の図１と同様に巻線の周回方向Ｒ（Ｒ´）に沿って徐々に減少するように設定されている。
【００３４】
上記第２の実施形態においても、図１と全く同様に、前記ドラム型コア２１の鍔部２３、２４の巻線Ａ、Ｂ、Ｃの巻回領域に面する内側面の一部が、前記内側面の残部に比べて、コアの軸方向端面寄りに後退して設けられているので、鍔部の内側面の一部が残部に比べてコアの軸方向端面寄りに後退した領域に、ドラム型コアに巻回される巻線のうちの巻芯を周回する部分から離れて脚部の端子電極との導電接続部に至る引出し部分を通すことができ、また、前記ドラム型コア２１に巻回される巻線Ａ、Ｂ、Ｃのうち、巻芯を周回する部分Ｍ１が、前記鍔部２３、２４の残部で規定される領域内で巻回されているので、引出し部分にテンションが加わっても、巻芯を周回する部分Ｍ１と、前記巻芯を周回する部分から離れて脚部の端子電極との導電接続部に至る引出し部分Ａ１１、Ａ１２、Ｂ１１、Ｂ１２、Ｃ１１、Ｃ１２とが重ならないため、線材の被覆の剥離による短絡が生じにくい。
【００３５】
また、図１０に示されるように、前記ドラム型コア２１の下面側の脚部２５ａ、２５ｂ、２５ｃ、２６ａ、２６ｂ、２６ｃの巻線の巻回領域に面する内側面の一部が、前記内側面の残部Ｎに比べて、コアの軸方向Ｘの端面２３ａまたは２４ａ寄りに後退して設けられているので、脚部の巻線Ａ、Ｂ、Ｃの巻回領域に面する内側面の一部が前記内側面の残部Ｎに比べてコア２１の軸方向端面寄りに後退した領域Ｕ（破線枠内）に、ドラム型コア２１に巻回される巻線Ａ、Ｂ、Ｃのうち、巻芯を周回する部分から離れて脚部の端子電極との導電接続部に至る引出し部分Ａ１１、Ａ１２、Ｂ１１、Ｂ１２、Ｃ１１、Ｃ１２を、脚部Ａ１１、Ａ１２、Ｂ１１、Ｂ１２、Ｃ１１、Ｃ１２の巻線の巻回領域に面する内側面の一部が前記内側面の残部Ｎに比べてコアの軸方向端面寄りに後退した領域Ｕを通すことができる。
【００３６】
さらに、前記ドラム型コア２１の鍔部２３、２４の巻線Ａ、Ｂ、Ｃの巻回領域に面する内側面の一部と、この下面側の脚部の巻線の巻回領域に面する内側面の一部とが、前記内側面の残部に比べて、ともにコア２１の軸方向端面寄りに後退して設けられているので、鍔部２３、２４の内側面で規定される巻線スペースを有効に活用して、さらに小型のコモンモードチョークコイルを提供することができる。
【００３７】
図９、図１０から明らかなように、上記構造の巻線数が３本の場合のコモンモードチョークコイル３０も、前述のコモンモードチョークコイル２０の場合と同様の作用効果が得られることが判る。寧ろ従来と対比して巻線数が多いほど本発明の作用効果が顕著に現れると言える。
【００３８】
以上のような本発明に係るコア構造と巻線構造を備えるコモンモードチョークコイル１９、２０、２９、３０は、高結合で良好な特性が得られ、信頼性が高く、高速差動伝送用として特に有効である。
【００３９】
なお、念のために付言すれば、本発明のコモンモードチョークコイルは、図４に示すように、コイルの外周を樹脂材で覆った樹脂モールドタイプや図３のようにフェライトの板状磁性コア１１をドラム型コア１の上面に接着剤などで取り付けた閉磁路構造のコモンモードチョークコイルも射程内に入ることは勿論である。
【図面の簡単な説明】
【００４０】
【図１】第１の実施形態のコモンモードチョークコイルのドラム型コアの形状を示す斜視図である。
【図２】前記ドラム型コアの巻芯部に巻線を巻回した状態のコモンモードチョークコイルを示す斜視図である。
【図３】前記コモンモードチョークコイルのドラム型コアの巻芯の軸方向両端に設けられた鍔部の上面に板状磁性コアを貼り付け、両端の鍔部間を前記板状磁性コアで連結したコモンモードチョークコイルを示す斜視図である。
【図４】前記ドラム型コアの巻芯部の軸方向両端の鍔部間及び、前記鍔部の内側面が軸方向端面寄りに後退した領域に、前記巻芯部に巻回された巻線の上面側を被覆するように外装樹脂層が形成されたコモンモードチョークコイルを示す斜視図である。
【図５】前記コモンモードチョークコイルのドラム型コアの底面側の外観を示す斜視図である。
【図６】第１の実施形態のコモンモードチョークコイルのドラム型コアの巻線状態を説明するための平面図である。
【図７】第１の実施形態のコモンモードチョークコイルの導電接続後の状態を示す底面図である。
【図８】第１の実施形態のコモンモードチョークコイルの底面図である。
【図９】第２の実施形態のコモンモードチョークコイルのドラム型コア形状を示す斜視図である。
【図１０】第２の実施形態のコモンモードチョークコイルの導電接続後の状態を示す底面図である。
【図１１】第２の実施形態のコモンモードチョークコイルの底面図である。
【図１２】従来の巻線チップ型のコモンモードチョークコイルの底面図である。
【図１３】［特許文献１］に記載のチョークコイルの外観を示す斜視図である。
【図１４】［特許文献１］に記載のチョークコイルの巻線の巻回状態を表す底面図である。
【符号の説明】
【００４１】
１、２１    ドラム型コア
２、２２    巻芯部
３、４、２３、２４    鍔部
３ａ、４ａ、２３ａ、２４ａ    鍔部のコア軸方向端面
５ａ、５ｂ、６ａ、６ｂ、２５ａ、２５ｂ、２５ｃ、２６ａ、２６ｂ、２６ｃ    脚部
７ａ、７ｂ、８ａ、８ｂ、２７ａ、２７ｂ、２７ｃ、２８ａ、２８ｂ、２８ｃ    端子電極
１１    板状磁性コア
１７    金属メッキ層
１８    外装樹脂層
１９、２０、２９、３０、４０    コモンモードチョークコイル
５０    チョークコイル
Ａ、Ｂ、Ｃ    巻線
Ａ１、Ａ２、Ｂ１、Ｂ２    巻線の端部
Ａ１１、Ａ１２、Ｂ１１、Ｂ１２    巻線のうちの巻芯を周回する部分から離れて脚部の端子電極との導電接続部に至る引出し部分
Ｌ    ドラム型コアの脚部のコア軸方向端面からの長さ寸法
Ｒ、Ｒ´    巻線の周回方向
Ｓ    鍔部に近い両端側の巻線ターン密度が疎な部分
Ｗ    ドラム型コアの上面の鍔部のコア軸方向端面からの長さ寸法
Ｘ    コア軸方向
Ｅ    鍔部の内側面の一部が残部に比べてコアの軸方向端面寄りに後退した領域
Ｊ    鍔部の巻線の巻回領域に面する内側面の一部
Ｋ    鍔部の巻線の巻回領域に面する内側面の残部
Ｍ１  巻線のうちの巻芯を周回する部分
Ｑ    脚部の巻線の巻回領域に面する内側面の一部
Ｎ    脚部の巻線の巻回領域に面する内側面の残部
Ｕ    脚部の巻線の巻回領域に面する内側面の一部が残部に比べてコアの軸方向端面寄りに後退した領域
【図１】
2006049383.tif 000003
【図２】
2006049383.tif 000004
【図３】
2006049383.tif 000005
【図４】
2006049383.tif 000006
【図５】
2006049383.tif 000007
【図６】
2006049383.tif 000008
【図７】
2006049383.tif 000009
【図８】
2006049383.tif 000010
【図９】
2006049383.tif 000011
【図１０】
2006049383.tif 000012
【図１１】
2006049383.tif 000013
【図１２】
2006049383.tif 000014
【図１３】
2006049383.tif 000015
【図１４】
2006049383.tif 000016
【手続補正書】
【提出日】平成16年8月2日(2004.8.2)
【手続補正１】
【補正対象書類名】図面
【補正対象項目名】全図
【補正方法】変更
【補正の内容】
【図１】
2006049383.tif 000017
【図２】
2006049383.tif 000018
【図３】
2006049383.tif 000019
【図４】
2006049383.tif 000020
【図５】
2006049383.tif 000021
【図６】
2006049383.tif 000022
【図７】
2006049383.tif 000023
【図８】
2006049383.tif 000024
【図９】
2006049383.tif 000025
【図１０】
2006049383.tif 000026
【図１１】
2006049383.tif 000027
【図１２】
2006049383.tif 000028
【図１３】
2006049383.tif 000029
【図１４】
2006049383.tif 000030